(57)【要約】【課題】一方向に延びた導光体の一方向の端面から光を入射させる構成において、導光体の一方向の両端部が交差方向に挟まれて支持された構成に比べて、導光体の変形を抑制する。【解決手段】発光装置６０は、導光体６２と、照射部６６と、筐体６８とを有する。導光体６２は、Ｚ方向に延びている。照射部６６は、Ｚ方向の端面６２Ｄと対向して配置され、端面６２Ｄに光Ｂｍを照射する。筐体６８は、導光体６２のＺ方向の中央部６２ＡをＺ方向と交差する交差方向に挟んで導光体６２を支持する。【選択図】図５
2018160781.tif 000002
【特許請求の範囲】
【請求項１】
一方向に延びた導光体と、
該導光体の該一方向の端面と対向して配置され、該端面に光を照射する照射手段と、
該導光体の該一方向の中央部を該一方向と交差する交差方向に挟んで該導光体を支持する筐体と、
を有する発光装置。
【請求項２】
前記導光体と前記筐体との間には、前記一方向に延び、前記導光体を透過した光を前記導光体に向けて反射する反射部材が設けられ、
前記反射部材の前記一方向の中央部には、前記交差方向に貫通する貫通孔が形成され、
前記導光体の前記中央部には、前記交差方向に突出され前記貫通孔に挿入される突出部が形成され、
前記筐体には、前記突出部と接触する第１接触部と、前記導光体の前記突出部とは反対側の部位と接触する第２接触部とが形成され、
前記筐体は、前記第１接触部と前記第２接触部とで前記導光体を挟む請求項１に記載の発光装置。
【請求項３】
前記筐体は、前記反射部材の前記一方向の中央部を前記突出部とで挟んで支持する請求項２に記載の発光装置。
【請求項４】
前記導光体の表面の一部には、前記一方向に間隔をあけて複数配置され前記導光体の内側に向けて光を反射する反射体が形成され、
前記反射体と前記反射部材との間には隙間が形成されている請求項２又は請求項３に記載の発光装置。
【請求項５】
前記第１接触部は、弾性変形可能に形成され、
前記第２接触部には、前記第１接触部の弾性力により前記導光体が押し付けられ、
前記筐体を前記一方向から見た場合に、前記第２接触部の厚さが前記第１接触部の厚さよりも厚い請求項２から請求項４のいずれか１項に記載の発光装置。
【請求項６】
請求項１から請求項５のいずれか１項に記載の発光装置と、
該一方向に並べられた複数の受光素子と、
該一方向に延び、前記導光体の外周面から出射され画像が形成されている対象物から反射された光を前記受光素子に集光する集光部材と、
を有する画像読取装置。
【請求項７】
請求項６に記載の画像読取装置と、
該画像読取装置で読み取られた画像情報に基づいて画像を形成する画像形成部と、
を有する画像形成装置。
【発明の詳細な説明】
【技術分野】
【０００１】
本発明は、発光装置、画像読取装置及び画像形成装置に関する。
【背景技術】
【０００２】
特許文献１には、主走査方向に長く、長手方向の端部がイメージセンサユニットのフレームに接触する導光体が示されている。この導光体の長手方向の端部には、該長手方向に対して直角な方向に突出する突起状の位置決め部が形成されている。
【先行技術文献】
【特許文献】
【０００３】
【特許文献１】特開２０１４−３３４４０号公報
【発明の概要】
【発明が解決しようとする課題】
【０００４】
一方向に延びた導光体の両端部が該一方向と交差する交差方向に挟まれて支持された発光装置では、温度変化によって導光体が伸長又は収縮するときに、両端部の変形が制限されるため、導光体が変形する可能性がある。
【０００５】
本発明は、一方向に延びた導光体の一方向の端面から光を入射させる構成において、導光体の一方向の両端部が交差方向に挟まれて支持された構成に比べて、導光体の変形を抑制することを目的とする。
【課題を解決するための手段】
【０００６】
第１態様に係る発光装置は、一方向に延びた導光体と、該導光体の該一方向の端面と対向して配置され、該端面に光を照射する照射手段と、該導光体の該一方向の中央部を該一方向と交差する交差方向に挟んで該導光体を支持する筐体と、を有する。
【０００７】
第２態様に係る発光装置の前記導光体と前記筐体との間には、前記一方向に延び、前記導光体を透過した光を前記導光体に向けて反射する反射部材が設けられ、前記反射部材の前記一方向の中央部には、前記交差方向に貫通する貫通孔が形成され、前記導光体の前記中央部には、前記交差方向に突出され前記貫通孔に挿入される突出部が形成され、前記筐体には、前記突出部と接触する第１接触部と、前記導光体の前記突出部とは反対側の部位と接触する第２接触部とが形成され、前記筐体は、前記第１接触部と前記第２接触部とで前記導光体を挟む。
【０００８】
第３態様に係る発光装置の前記筐体は、前記反射部材の前記一方向の中央部を前記突出部とで挟んで支持する。
【０００９】
第４態様に係る発光装置は、前記導光体の表面の一部には、前記一方向に間隔をあけて複数配置され前記導光体の内側に向けて光を反射する反射体が形成され、前記反射体と前記反射部材との間には隙間が形成されている。
【００１０】
第５態様に係る発光装置は、前記第１接触部は、弾性変形可能に形成され、前記第２接触部には、前記第１接触部の弾性力により前記導光体が押し付けられ、前記筐体を前記一方向から見た場合に、前記第２接触部の厚さが前記第１接触部の厚さよりも厚い。
【００１１】
第６態様に係る画像読取装置は、第１態様から第５態様のいずれか１つに記載の発光装置と、該一方向に並べられた複数の受光素子と、該一方向に延び、前記導光体の外周面から出射され画像が形成されている対象物から反射された光を前記受光素子に集光する集光部材と、を有する。
【００１２】
第７態様に係る画像形成装置は、第６態様に記載の画像読取装置と、該画像読取装置で読み取られた画像情報に基づいて画像を形成する画像形成部と、を有する。
【発明の効果】
【００１３】
第１態様の発光装置によれば、一方向に延びた導光体の一方向の端面から光を入射させる構成において、導光体の一方向の両端部が交差方向に挟まれて支持された構成に比べて、導光体の変形を抑制することができる。
【００１４】
第２態様の発光装置によれば、一方向で反射部材と導光体とが接触しない構成に比べて、反射部材の一方向のずれを抑制することができる。
【００１５】
第３態様の発光装置によれば、反射部材の一方向の両端部が挟まれて支持された構成に比べて、反射部材の変形を抑制することができる。
【００１６】
第４態様の発光装置によれば、反射部材が反射体と密着する構成に比べて、導光体からの光の出射パターンが、反射部材で反射された光によって変動することを抑制できる。
【００１７】
第５態様の発光装置によれば、第２接触部の厚さが第１接触部の厚さよりも薄い構成に比べて、導光体の位置決め精度を上げることができる。
【００１８】
第６態様の画像読取装置によれば、一方向の両端部が交差方向に挟まれて支持された導光体を有する構成に比べて、画像を読み取る読取精度の低下を抑制することができる。
【００１９】
第７態様の画像形成装置によれば、一方向の両端部が交差方向に挟まれて支持された導光体を有する構成に比べて、出力画像の品質の低下を抑制することができる。
【図面の簡単な説明】
【００２０】
【図１】本実施形態に係る画像形成装置の全体構成図である。
【図２】本実施形態に係る画像読取装置の概略構成図である。
【図３】本実施形態に係る画像読取装置の断面図である。
【図４】本実施形態に係る画像読取装置の分解斜視図である。
【図５】本実施形態に係る画像読取装置の部分拡大図である。
【図６】本実施形態に係る画像読取装置の一端部を示す断面図である。
【図７】本実施形態に係る画像読取装置の平面図である。
【図８】本実施形態に係る筐体の平面図である。
【図９】（Ａ）本実施形態に係る反射部材の正面図であり、（Ｂ）本実施形態に係る導光体の正面図である。
【図１０】（Ａ）本実施形態に係る導光体の中央部の断面図（図９（Ｂ）の１０Ａ−１０Ａ線断面）であり、（Ｂ）本実施形態に係る導光体の端部の断面図（図９（Ｂ）の１０Ｂ−１０Ｂ線断面）である。
【図１１】本実施形態に係る反射部材と導光体との組付け状態を示す説明図である。
【図１２】（Ａ）本実施形態に係る導光体及び反射部材が筐体に対して伸びた状態を示す説明図であり、（Ｂ）比較例に係る導光体及び反射部材が変形した状態を示す説明図である。
【図１３】本実施形態の変形例に係る導光体の平面図である。
【発明を実施するための形態】
【００２１】
本実施形態に係る発光装置、画像読取装置及び画像形成装置の一例について説明する。
【００２２】
〔全体構成〕
図１には、本実施形態の画像形成装置１０が示されている。なお、以下の説明では、図１に矢印Ｙで示す方向を装置高さ方向、矢印Ｘで示す方向を装置幅方向とする。また、装置高さ方向及び装置幅方向のそれぞれに直交する方向（Ｚで示す）を装置奥行き方向とする。そして、画像形成装置１０を正面視して、装置高さ方向、装置幅方向、装置奥行き方向をＹ方向、Ｘ方向、Ｚ方向と記載する。さらに、Ｘ方向、Ｙ方向、Ｚ方向のそれぞれ一方側と他方側を区別する必要がある場合は、画像形成装置１０を正面視して、上側をＹ側、下側を−Ｙ側、右側をＸ側、左側を−Ｘ側、奥側をＺ側、前側を−Ｚ側と記載する。
【００２３】
画像形成装置１０は、原稿Ｇ（図２参照）の画像を読み取る読取部１２と、用紙Ｐを搬送するロール対１５を含む搬送部１４と、読取部１２で読み取られた原稿Ｇの画像情報に基づいて用紙Ｐにトナー像Ｔを形成する画像形成部３０とを含んで構成される。読取部１２、搬送部１４及び画像形成部２０の動作は、制御部１６により制御される。用紙Ｐは記録媒体の一例である。トナー像Ｔは、画像の一例である。
【００２４】
図２に示す読取部１２は、一例として、原稿Ｇが載せられる第１透明板２２と、原稿Ｇを搬送する搬送ユニット２４と、搬送される原稿Ｇが接触する第２透明板２３と、画像読取装置４０と、画像読取装置４０をＸ方向に駆動する駆動ユニット２８とを有する。
【００２５】
第１透明板２２は、プラテンガラスで構成されており、Ｚ方向から見た場合にＸ方向に沿って配置されている。第１透明板２２には、１枚の原稿Ｇの画像を読み取る際に原稿Ｇが載せられる。第２透明板２３は、第１透明板２２の−Ｘ側にＸ方向に沿って配置されている。搬送ユニット２４は、複数枚の原稿Ｇが重ねて載せられる原稿台２４Ａを有する。また、搬送ユニット２４は、複数枚の原稿Ｇを１枚ずつ搬送して、第２透明板２３のＹ側に設定された原稿読取位置Ｒを通過させるようになっている。
【００２６】
画像読取装置４０は、第１透明板２２及び第２透明板２３に対する−Ｙ側に配置されており、第１透明板２２に載せられた原稿Ｇの画像と、搬送ユニット２４によって原稿読取位置Ｒに搬送された原稿Ｇの画像とを読み取る。図２では、第２透明板２３の−Ｙ側に配置された画像読取装置４０を実線で示し、第１透明板２２の−Ｙ側でＸ方向に移動する状態の画像読取装置４０を一点鎖線で示している。なお、画像読取装置４０の詳細については後述する。
【００２７】
駆動ユニット２８は、画像読取装置４０をＸ方向に駆動する。具体的には、駆動ユニット２８は、画像読取装置４０に取付けられた取付部材２８Ａと、取付部材２８ＡをＸ方向に移動可能に支持するシャフト２８Ｂと、取付部材２８ＡをＸ方向に駆動する駆動部２９とを有する。シャフト２８ＢのＸ方向の両端部は、画像形成装置１０に設けられた一対の支持部材２８Ｃにより支持されている。
【００２８】
駆動部２９は、駆動プーリ２９Ａと、従動プーリ２９Ｂと、駆動プーリ２９Ａ及び従動プーリ２９Ｂに巻き掛けられたベルト２９Ｃと、駆動プーリ２９Ａを回転させる図示しないモータとを有する。ベルト２９Ｃの一部は、取付部材２８Ａに固定されている。これにより、モータが駆動プーリ２９Ａを正回転方向又は逆回転方向に回転させると、画像読取装置４０が取付部材２８Ａと一体でＸ側又は−Ｘ側に移動される。
【００２９】
図１に示す画像形成部３０は、一例として、４つの画像形成ユニット３２と、転写ユニット３４と、定着ユニット３６とを有する。画像形成ユニット３２は、一例として、公知の電子写真方式である帯電、露光、現像の各工程を行うように構成されている。転写ユニット３４は、４つの画像形成ユニット３２により形成されたトナー像Ｔを用紙Ｐ上に転写させる。定着ユニット３６は、用紙Ｐ上のトナー像Ｔを加熱及び加圧して用紙Ｐに定着させる。
【００３０】
〔要部構成〕
次に、画像読取装置４０の詳細について説明する。
【００３１】
図３に示す画像読取装置４０は、原稿Ｇに向けて光Ｂｍを照射する発光装置６０と、光Ｂｍを受光する受光部４２と、光Ｂｍを受光部４２に案内するロッドレンズアレイ４４と、ガラス板４６とを有する。原稿Ｇは、対象物の一例である。ロッドレンズアレイ４４は、集光部材の一例である。そして、画像読取装置４０は、原稿Ｇに形成された画像を、既知のＣＩＳ（Ｃｏｎｔａｃｔ  Ｉｍａｇｅ  Ｓｅｎｓｏｒ）方式を用いて読み取るようになっている。
【００３２】
（受光部）
受光部４２は、受光基板４８と、Ｚ方向に並べられた複数の受光素子５２とを有する。受光基板４８は、Ｙ方向から見た場合にＺ方向を長手方向としＸ方向を短手方向とする矩形状に形成されている。また、受光基板４８は、発光装置６０の後述する筐体６８の−Ｙ側のザグリ面１１２に接触した状態で、図示しない固定手段によって筐体６８に固定されている。複数の受光素子５２は、受光基板４８のＹ側の面に実装されている。
【００３３】
（ロッドレンズアレイ）
ロッドレンズアレイ４４は、透明材料（例えば、ガラス）から成り、Ｙ方向に延びるロッドレンズがＺ方向に複数並んだ構成とされている。また、ロッドレンズアレイ４４は、Ｚ方向に延びる直方体状に形成されており、筐体６８の後述するレンズ収容部１０４に収容されている。ロッドレンズアレイ４４の−Ｙ側の下面は、複数の受光素子５２とＹ方向に対向している。このように、ロッドレンズアレイ４４は、Ｚ方向に延びており、後述する導光体６２の外周面６２Ｃ（図５参照）から出射され画像が形成されている原稿Ｇから反射された光Ｂｍを、受光素子５２に集光するように構成されている。
【００３４】
（ガラス板）
ガラス板４６は、Ｙ方向から見た場合にＺ方向に延びる矩形状に形成されている。また、ガラス板４６は、筐体６８の後述する段部１０８にＹ側から接触した状態で、図示しない固定手段によって筐体６８に固定され、筐体６８のＹ側（光Ｂｍが出射される側）を覆っている。
【００３５】
＜発光装置＞
次に、発光装置６０の詳細について説明する。
【００３６】
図４に示す発光装置６０は、導光体６２と、反射部材６４と、照射手段の一例としての照射部６６と、装置本体を構成する筐体６８とを有する。なお、発光装置６０は、導光体６２及び反射部材６４を２組有しているが、導光体６２及び反射部材６４は筐体６８のＸ方向中央に対して対称となるように構成されている。このため、図４では、Ｘ側の導光体６２及び反射部材６４を示して、他方側の導光体６２及び反射部材６４の図示を省略している。また、以後の説明では、Ｘ側の導光体６２及び反射部材６４について説明し、Ｘ側の導光体６２及び反射部材６４についての説明を省略する。発光装置６０には、筐体６８から導光体６２及び反射部材６４が外れるのを防ぐ板材７１（図６参照）が設けられている。
【００３７】
（導光体）
図９（Ｂ）に示す導光体６２は、透明材料（例えば、アクリル樹脂）を用いて円柱状に形成されており、Ｚ方向を軸方向（長手方向）として延びている。Ｚ方向は、一方向の一例である。導光体６２のＺ方向の長さをＬ１とする。また、導光体６２は、筐体６８（図３参照）の後述する導光体収容部１０２（図８参照）に収容されている。なお、導光体６２は、既述のようにＸ方向に並んで一対設けられているが、図９（Ｂ）では１本の導光体６２を示している。
【００３８】
導光体６２のＺ方向の中央部６２Ａの一部でありかつ導光体６２のＺ方向の中央位置を含む部位には、一例として、Ｚ方向の長さがＬ２の突出部６３が形成されている。中央部６２Ａとは、導光体６２をＺ方向に３等分した際の中央の部分（領域）を意味する。つまり、Ｌ２＜（Ｌ１）／３とされている。なお、３等分した残りのＺ側及び−Ｚ側の部位を端部６２Ｂと称する。導光体６２の外周面６２Ｃのうち周方向の一部は、光Ｂｍ（図３参照）が出射されるように構成されている。導光体６２のＺ側及び−Ｚ側の端部６２Ｂには、それぞれＸ−Ｙ面に沿った端面６２Ｄが形成されている。
【００３９】
図５に示すように、突出部６３は、Ｚ方向から見た場合に、一例として、導光体６２の円形部分の中心ＯよりもＹ側の外周面６２Ｃの一部からＸ側に突出された第１突出部６５と、第１突出部６５のＸ側の端部からＹ側へ突出された第２突出部６７とを有する。言い換えると、突出部６３は、Ｚ方向から見た場合に断面形状がＬ字状に形成されている。なお、第１突出部６５のＺ方向の長さ及び第２突出部６７のＺ方向の長さは、いずれも長さＬ２（図９（Ｂ）参照）とされている。
【００４０】
第１突出部６５の先端部は、Ｚ方向から見た場合に、Ｘ方向を長手方向としＹ方向を短手方向とする矩形状に形成されている。また、第１突出部６５は、Ｘ方向に沿った下面６５Ａと、Ｙ方向に沿った側面６５Ｂと、Ｘ方向に沿った上面６５Ｃとを有する。下面６５ＡのＸ側端部と側面６５Ｂの−Ｙ側端部とが繋がる部位には、テーパ面６５Ｄが形成されている。
【００４１】
第２突出部６７は、Ｚ方向から見た場合に、Ｘ方向を長手方向としＹ方向を短手方向とする矩形状に形成されている。第２突出部６７のＹ方向の高さは、第１突出部６５のＹ方向の高さよりも低い。また、第２突出部６７は、Ｘ方向に沿った上面６７Ａと、Ｙ方向に沿った内側面６７Ｂと、Ｙ方向に沿った外側面６７Ｃとを有する。上面６７ＡのＸ側端部と外側面６７ＣのＹ側端部とが繋がる部位には、テーパ面６７Ｄが形成されている。テーパ面６７Ｄは、一例として、Ｚ方向から見た場合に、Ｘ側に向かうほど−Ｙ側に下がる傾斜面となっている。
【００４２】
導光体６２の外周面６２Ｃのうち、突出部６３が突出された部位に対して−Ｙ側に位置する部位でかつ中心Ｏに対してＸ側に位置する部位には、反射体７２が形成（印刷）されている。反射体７２は、一例として、固化した白色塗料で構成されており、導光体６２の内部を進行する光Ｂｍを、外周面６２Ｃに向けて進行する光Ｂｍ（図３参照）として反射する。また、反射体７２は、Ｚ方向に間隔をあけて複数配置されている。
【００４３】
図１０（Ａ）には、導光体６２の中央部６２Ａにおける反射体７２が示されている。中央部６２Ａの反射体７２を反射体７２Ａと称する。図１０（Ｂ）には、導光体６２の端部６２Ｂにおける反射体７２が示されている。端部６２Ｂにおける反射体７２を反射体７２Ｂと称して、反射体７２Ａと区別する。導光体６２の周方向において、反射体７２Ａの長さは、一例として、反射体７２Ｂの長さよりも長い。言い換えると、導光体６２の中央部６２Ａは、端部６２Ｂに比べて、反射体７２よって覆われる領域が周方向に広い。
【００４４】
（反射部材）
図９（Ａ）に示す反射部材６４は、一例として、白色のポリカーボネート樹脂で構成されており、光Ｂｍ（図３参照）を反射する。また、反射部材６４は、Ｚ方向に延びている。反射部材６４の線膨張係数は、導光体６２（図９（Ｂ）参照）の線膨張係数に比べて小さい。さらに、反射部材６４のＺ方向の長さＬ３は、導光体６２のＺ方向の長さＬ１（図９（Ｂ）参照）とほぼ同じ長さとされている。反射部材６４のＺ方向の中央部６４Ａの一部でありかつ反射部材６４のＺ方向の中央位置を含む部位には、一例として、Ｚ方向の長さがＬ４の貫通孔７４が形成されている。中央部６４Ａとは、反射部材６４をＺ方向に３等分した際の中央の部分（領域）を意味する。つまり、Ｌ４＜（Ｌ３）／３とされている。なお、３等分した残りのＺ側及び−Ｚ側の部位を端部６４Ｂと称する。また、長さＬ４は、既述の長さＬ３（図９（Ｂ）参照）よりも長い。
【００４５】
図１１に示すように、反射部材６４は、Ｘ−Ｚ面に沿った底壁６４Ｃと、底壁６４ＣのＸ方向の一端部からＹ側へ直立した縦壁６４Ｄと、縦壁６４ＤのＹ側端部から底壁６４ＣとＹ方向に対向するようにＸ方向に延びる上壁６４Ｅとを有する。言い換えると、反射部材６４は、Ｚ方向から見た場合に−Ｘ側へ開口する断面Ｕ字状に形成されている。縦壁６４ＤのＹ側端部には、テーパ面６４Ｆが形成されている。また、縦壁６４Ｄの−Ｙ側端部には、テーパ面６４Ｇが形成されている。
【００４６】
底壁６４Ｃの縦壁６４ＤからのＸ方向の長さＬ５と、上壁６４Ｅの縦壁６４ＤからのＸ方向の長さＬ６とは、ほぼ同じとされている。また、長さＬ５及び長さＬ６は、導光体６２の半径の長さにほぼ等しい。また、底壁６４Ｃと上壁６４ＥとのＹ方向の間隔の長さＬ７は、導光体６２の直径の長さにほぼ等しい。そして、導光体６２のほぼ半分の外周面６２Ｃが、反射部材６４によって覆われている。
【００４７】
貫通孔７４は、反射部材６４の中央部６４ＡをＺ方向と交差する交差方向（以後、Ｋ方向と称する）に貫通している。ここで、図５に示すように、Ｋ方向とは、一例として、Ｚ方向から見た場合に、反射体７２によって反射される光Ｂｍの図示しない設計上の光軸に対して直交する方向とされている。
【００４８】
図１１に示すように、貫通孔７４は、縦壁６４Ｄと上壁６４Ｅとに跨って形成されている。具体的には、貫通孔７４は、Ｘ方向から見た場合に、縦壁６４ＤのＹ方向の中央からＹ側端まで四角形状に形成されている。さらに、貫通孔７４は、Ｙ方向から見た場合に、上壁６４ＥのＸ方向の中央からＸ側端まで四角形状に形成されている。
【００４９】
図５に示すように、反射部材６４は、導光体６２の中心Ｏ（図５参照）に対するＸ側、Ｙ側及び−Ｙ側を覆った状態で、筐体６８に収容されている。言い換えると、反射部材６４は、導光体６２と筐体６８との間に設けられている。そして、反射部材６４は、導光体６２から外側へ進行した光Ｂｍ（図３参照）を導光体６２に向けて反射する。これにより、導光体６２の端面６２Ｄ（図９（Ｂ）参照）から入射した光Ｂｍが、Ｚ方向に進行すると共に、原稿Ｇ（図３参照）の画像に向けて出射されるようになっている。
【００５０】
（照射部）
図４に示す照射部６６は、一例として、配線基板７６と、可撓性基板７７と、発光素子７８とを有する。配線基板７６は、所謂フレキシブルフラットケーブルであり、受光基板４８のＺ側端部及び−Ｚ側端部に電気的に接続されている。
【００５１】
可撓性基板７７は、受光基板４８に対してＺ側及び−Ｚ側に１つずつ配置されている。また、可撓性基板７７は、配線基板７６を介して受光基板４８から給電される。可撓性基板７７は、所謂フレキシブルプリント基板であって、後述する筐体６８にＺ方向が板厚方向となるように取付けられている。なお、「可撓性基板」とは、例えば、幅１０ｍｍの基板を片持ち状態に支持し、支持端から１０ｍｍの部位を上方から９．８Ｎの力で押して、たわみ量が１ｍｍ以上となるものを意味する。
【００５２】
発光素子７８は、Ｚ側の可撓性基板７７の−Ｚ側の面と、−Ｚ側の可撓性基板７７のＺ側の面とに実装されている。また、発光素子７８は、筐体６８の後述する基板収容部１０６に収容され、導光体６２の端面６２Ｄと対向して配置されている（図６及び図７参照）。なお、図７に示すように、発光素子７８と端面６２Ｄとの間には、Ｚ方向の長さが３ｍｍ以下の隙間があいている。Ｚ側、−Ｚ側の発光素子７８は、それぞれ発光して端面６２Ｄに光を照射する。
【００５３】
（筐体）
図８に示す筐体６８は、一例として、遮光性を有する黒色のポリカーボネート樹脂（ガラス繊維で強化）で構成されている。筐体６８の線膨張係数は、反射部材６４（図９（Ａ）参照）の線膨張係数に比べて小さい。また、筐体６８は、Ｚ方向に延び、Ｙ側が開口された箱状に形成されている。具体的には、筐体６８は、Ｙ方向から見た場合に、Ｚ方向に長い矩形の底壁８２と、底壁８２の外縁部に形成された枠状（角筒状）の周壁８３と、周壁８３の内側で底壁８２からＹ方向に直立する一対の縦壁８４及び一対の縦壁８６とを有する。縦壁８６は、第２接触部の一例である。周壁８３のＺ側端部及び−Ｚ側端部には、既述の取付部材２８Ａ（図２参照）に固定される被固定部８８が形成されている。被固定部８８には、Ｙ方向に貫通し図示しないネジが挿入される貫通孔８８Ａが形成されている。
【００５４】
一対の縦壁８４は、それぞれＸ方向を厚さ方向としＺ方向に長い板状に形成されている。また、一対の縦壁８４は、互いにＸ方向に間隔をあけて配置されている。一対の縦壁８６は、一対の縦壁８４のＸ方向における内側に配置されている。また、一対の縦壁８６は、それぞれＸ方向を厚さ方向としＺ方向に長い板状に形成されている。さらに、一対の縦壁８６は、互いにＸ方向に間隔をあけて配置されている。加えて、縦壁８６のＹ方向の高さは、縦壁８４のＹ方向の高さよりも低い。また、縦壁８６の厚さは、縦壁８４の厚さよりも厚い。
【００５５】
それぞれの縦壁８４のＺ方向の中央部には、Ｘ方向から見た場合に−Ｙ側からＹ側まで四角形状に切り欠かれた切欠部８４Ａが形成されている。それぞれの切欠部８４Ａの内側の底壁８２上には、Ｘ方向を厚さ方向としてＹ方向に直立する板状の一対の弾性部９２が形成されている。弾性部９２は、第１接触部の一例である。弾性部９２の縦壁８６とＸ方向に対向する側の側面は、一例として、縦壁８４の縦壁８６とＸ方向に対向する側の側面とＹ方向に揃っている。
【００５６】
また、弾性部９２は、一例として、Ｘ方向から見た場合に−Ｙ側に開口する逆Ｕ字状に形成されている（図４参照）。弾性部９２の厚さは、縦壁８６の厚さよりも薄くかつ縦壁８４の厚さよりも薄い。これにより、弾性部９２は、筐体６８の他の部位に比べてＸ方向に弾性変形し易くなっている。弾性部９２のＺ方向の中央部でかつＹ方向の上端部（Ｙ側端部）には、縦壁８６に向けて（Ｘ方向に）突出された爪部９４が形成されている。
【００５７】
図５に示すように、爪部９４は、Ｚ方向から見た場合の断面が三角形状に形成され、Ｚ方向に延びている。言い換えると、爪部９４は、三角柱状に形成されている。これにより、爪部９４には、Ｚ方向から見た場合にＹ方向に対して交差する斜め方向に直線状に延びる接触面９４Ａが形成されている。接触面９４Ａは、導光体６２のテーパ面６７Ｄと接触する。言い換えると、爪部９４は、突出部６３と接触する。そして、弾性部９２は、弾性力によって導光体６２を縦壁８６に向けて押し付けている。なお、筐体６８は、既述のように遮光性を有している。このため、接触面９４Ａがテーパ面６７Ｄを覆うことによって、導光体６２のテーパ面６７Ｄから光Ｂｍ（図３参照）の一部が漏れること（迷光）が抑制されている。
【００５８】
ここで、図８に示す筐体６８において、縦壁８４と縦壁８６との間の部位を導光体収容部１０２と称する。つまり、導光体収容部１０２は、筐体６８にＸ方向に間隔をあけて一対形成されている。また、筐体６８において、一対の縦壁８６の間の部位をレンズ収容部１０４と称する。さらに、筐体６８において、導光体収容部１０２及びレンズ収容部１０４のＺ側及び−Ｚ側に形成された空間部を基板収容部１０６と称する。導光体収容部１０２、レンズ収容部１０４及び基板収容部１０６については後述する。
【００５９】
図５に示すように、筐体６８の周壁８３におけるＹ側端部には、ガラス板４６の縁部を−Ｙ側から支持する段部１０８が形成されている。また、筐体６８の底壁８２には、受光基板４８の上面に接触するザグリ面１１２が形成されている。
【００６０】
導光体収容部１０２は、一例として、反射部材６４が取付けられる溝部１１４と、導光体６２を支持する支持部１１６とを有する。溝部１１４は、Ｚ方向から見た場合にＹ側に開口するＵ字状に形成されている。また、溝部１１４のＸ方向の幅は、反射部材６４を挿入可能な大きさとされている。
【００６１】
支持部１１６は、Ｚ方向から見た場合に、縦壁８６における接触面９４ＡとＫ方向に対向する部位及びその周辺部が、接触面９４Ａに向けて凹状となるように円弧状に切り欠かれた部位とされている。具体的には、支持部１１６は、Ｚ方向から見た場合に円弧状の曲面１１７と、曲面１１７から曲面１１７の径方向に突出された凸部１１８とを有する。
【００６２】
凸部１１８のＺ方向の幅は、突出部６３のＺ方向の幅とほぼ同じ幅とされている。また、凸部１１８は、一例として、曲面１１７の周方向に間隔をあけて配置された凸部１２２及び凸部１２４を有する。凸部１２２は、溝部１１４に近い側に配置されており、Ｚ方向から見た場合に先端に凹状の曲面１２２Ａが形成されている。凸部１２４は、凸部１２２に対して溝部１１４側とは反対側に配置されており、Ｚ方向から見た場合に先端に凹状の曲面１２４Ａが形成されている。曲面１２２Ａ及び曲面１２４Ａは、導光体６２の外周面６２Ｃにおける突出部６３とは反対側の部位と接触する。つまり、導光体６２は、筐体６８に取付けられることで、爪部９４、凸部１２２及び凸部１２４の３点で押え付けられる。
【００６３】
図３に示すように、レンズ収容部１０４は、一対の導光体収容部１０２の間に形成されており、Ｙ方向に開口している。また、レンズ収容部１０４は、ロッドレンズアレイ４４の−Ｙ側の面が載せられる基台部１２６と、基台部１２６に対する−Ｙ側で光Ｂｍが進行する空間部１２８とを有する。空間部１２８には、複数の受光素子５２が配置される。
【００６４】
図６に示すように、基板収容部１０６は、筐体６８を上下方向に貫通している。また、基板収容部１０６には、配線基板７６、可撓性基板７７、発光素子７８及び後述する板材７１が収容されている。
【００６５】
板材７１は、Ｘ方向から見た場合にＺ方向に沿った板状に形成されている。また、板材７１は、導光体６２、ロッドレンズアレイ４４、受光基板４８、配線基板７６及び可撓性基板７７が筐体６８に収容された後に、筐体６８の上方から筐体６８に取り付けられるようになっている。具体的には、板材７１は、筐体６８の段部１０８に載せられ、Ｙ側からガラス板４６が載せられている。そして、板材７１は、導光体６２及び反射部材６４が筐体６８に対してＹ側に外れるのを防ぐようになっている。なお、板材７１は、導光体６２及び反射部材６４をＹ方向に押付けてはいない。
【００６６】
（画像読取装置４０の組付け）
図１１に示すように、導光体６２の突出部６３が反射部材６４の貫通孔７４に挿入されることで、導光体６２と反射部材６４とが一体化された状態となる。そして、図５に示すように、弾性部９２の弾性力に抵抗しながら溝部１１４に反射部材６４の−Ｙ側部分が挿入されることにより、曲面１２２Ａ及び曲面１２４Ａと導光体６２の外周面６２Ｃとが接触する。なお、反射部材６４と溝部１１４との間には、Ｘ方向に僅かな隙間が形成されている。
【００６７】
反射体７２は、底壁６４ＣとＹ方向に対向しかつ縦壁６４ＤとＸ方向に対向する位置に配置されているため、曲面１２２Ａ及び曲面１２４Ａとは接触しない。また、反射体７２のＹ側端部と反射部材６４の縦壁６４Ｄとの間には、Ｘ方向に隙間ｄが形成されている。なお、本実施形態では、一例として、反射体７２の−Ｙ側端部と底壁６４Ｃとの間にも、Ｙ方向に隙間が形成されている。この状態で、突出部６３のテーパ面６７Ｄと爪部９４の接触面９４Ａとが接触する。また、縦壁６４Ｄと下面６５Ａとが接触し、側面６５Ｂ及び外側面６７Ｃと弾性部９２とが接触する。なお、縦壁６４Ｄと下面６５Ａとが接触することで、縦壁６４Ｄが溝部１１４に押付けられる。これにより、筐体６８は、反射部材６４の中央部６４Ａ（図９（Ａ）参照）を突出部６３とで挟んで支持する。
【００６８】
レンズ収容部１０４には、ロッドレンズアレイ４４が収容されると共に取付けられる。筐体６８の底壁８２には、受光基板４８が取付けられる。さらに、図６に示すように、基板収容部１０６には、配線基板７６、可撓性基板７７、発光素子７８及び板材７１が収容され、固定される。そして、ガラス板４６が筐体６８に固定される。
【００６９】
図５に示すように、組付けが完了した画像読取装置４０では、弾性部９２と縦壁８６とで導光体６２が挟まれる。言い換えると、筐体６８が、導光体６２の中央部６２ＡをＺ方向と交差するＫ方向に挟んで導光体６２を支持している。
【００７０】
＜比較例＞
図１２（Ｂ）には、本実施形態に対する比較例としての発光装置２００が模式的に示されている。発光装置２００は、それぞれＺ方向を長手方向とする筐体２０２、導光体２０４及び反射部材２０６と、導光体２０４のＺ方向の両端面に光を照射する図示しない照射部とを有する。筐体２０２には、導光体２０４及び反射部材２０６を収容する収容部２０２Ａが形成されている。また、筐体２０２には、導光体２０４及び反射部材２０６のＺ方向の両端部がＺ方向と交差する方向にまとめて挟まれて支持（固定）されており、Ｚ方向の中央部は挟まれていない。筐体２０２の線膨張係数は、反射部材２０６の線膨張係数よりも小さい。反射部材２０６の線膨張係数は、導光体２０４の線膨張係数よりも小さい。
【００７１】
ここで、比較例の発光装置２００では、環境温度が上昇して導光体２０４がＺ方向に伸長する状態となった場合に、各部材の線膨張係数の違いと、Ｚ方向の両端部が筐体２０２に挟まれて支持されていることとにより、導光体２０４の変形（反り）が生じ易くなる。
【００７２】
〔作用〕
次に、発光装置６０、画像読取装置４０及び画像形成装置１０の作用について説明する。
【００７３】
図１２（Ａ）に示す発光装置６０では、導光体６２のＺ方向の中央部６２Ａのみが筐体６８によって支持されており、両方の端部６２Ｂが自由状態となっている。このため、環境温度が変化して導光体６２がＺ方向に伸縮する場合に、線膨張係数の違いによって筐体６８及び反射部材６４の伸縮量に対する導光体６２の伸縮量が異なっていても、導光体６２の伸縮は、筐体６８及び反射部材６４によって制限されない。つまり、導光体６２の両方の端部６２Ｂは、Ｚ方向に自由に伸縮する。これにより、導光体６２には、Ｚ方向と交差するＫ方向（図５参照）に変形させる力が、既述の比較例の発光装置２００（図１２（Ｂ）参照）に比べて作用し難くなるので、導光体６２の変形が抑制される。
【００７４】
また、図５に示す発光装置６０では、導光体６２の中央部６２Ａが筐体６８によって支持された状態で、反射部材６４がＺ方向に変位する場合に、反射部材６４の貫通孔７４（図１１参照）の孔壁が、導光体６２の突出部６３とＺ方向に接触する。これにより、Ｚ方向で反射部材６４と導光体６２とが接触しない構成に比べて、反射部材６４のＺ方向のずれが抑制される。
【００７５】
さらに、発光装置６０では、反射部材６４の中央部６４Ａ（図９（Ａ）参照）の縦壁６４Ｄが、突出部６３と筐体６８の底壁８２とで挟まれて支持されており、Ｚ方向の両側の端部６４Ｂ（図９（Ａ）参照）が自由状態となっている。このため、図１２（Ａ）に示すように、反射部材６４は、導光体６２と同様に、温度変化が生じた場合にＺ方向の両側の端部６４Ｂ（図９（Ａ）参照）が自由に伸縮するので、Ｚ方向の両端部が挟まれて支持された構成に比べて、反射部材６４の変形（反り）が抑制される。
【００７６】
図５に示す発光装置６０では、反射体７２がＺ方向に間隔をあけて複数配置されていることで、導光体６２から出射される光Ｂｍは、反射体７２のＺ方向の位置に合わせた出射パターン（強度分布）を有する。ここで、反射体７２と反射部材６４との間には、隙間ｄが形成されている。言い換えると、Ｚ方向に並ぶ反射体７２の間の部位と反射部材６４との間には隙間が形成される。このため、導光体６２におけるＺ方向に並ぶ反射体７２の間の部位では、反射部材６４が反射体７２と密着する構成に比べて、導光体６２から出射される光Ｂｍに対する反射部材６４からの反射光の影響が少なくなる。つまり、導光体６２からの光Ｂｍの出射パターンが、反射部材６４で反射された光Ｂｍによって変動することが抑制される。
【００７７】
加えて、発光装置６０では、導光体６２が押し付けられる側の縦壁８６の厚さが、導光体６２を弾性力で押し付ける弾性部９２の厚さよりも厚い。これにより、縦壁８６の厚さが弾性部９２の厚さよりも薄い構成に比べて、導光体６２が押し付けられたときの縦壁８６（支持部１１６）の変形が抑制されるので、導光体６２の位置決め精度が上がる。
【００７８】
図６に示す画像読取装置４０では、照射部６６から導光体６２の端面６２Ｄに光Ｂｍが照射される。端面６２Ｄから入射された光Ｂｍは、導光体６２内をＺ方向に進行する。そして、図３に示すように、光Ｂｍは、導光体６２からロッドレンズアレイ４４の上方の原稿Ｇに向けて出射される。原稿Ｇで反射された光Ｂｍは、ロッドレンズアレイ４４によって集光され、受光素子５２により受光される。受光素子５２により受光された光Ｂｍは、電気信号に変換され、原稿Ｇの画像情報として、制御部１６の図示しない記憶部に記憶される。
【００７９】
ここで、画像読取装置４０では、既述のように、発光装置６０における導光体６２の変形が抑制されるので、Ｚ方向の両端部がＫ方向に挟まれて支持された導光体を有する構成に比べて、原稿Ｇの画像を読み取る読取精度の低下が抑制される。
【００８０】
図２に示す画像形成装置１０では、画像読取装置４０において原稿Ｇの画像を読み取る読取精度の低下が抑制されるので、Ｚ方向の両端部がＫ方向に挟まれて支持された導光体を有する構成に比べて、出力画像の品質の低下が抑制される。なお、出力画像の品質の低下には、例えば、画像の位置ずれや色ずれがある。
【００８１】
なお、本発明は上記の実施形態に限定されない。
【００８２】
導光体６２は、アクリル樹脂に限らず、例えば、ポリカーボネート樹脂で構成されていてもよい。また、導光体６２の数は、一対（２つ）に限らず、１つ又は３つ以上設けられていてもよい。突出部６３をＺ方向から見た場合の断面形状は、Ｌ字状に限らず、一方向（例えばＸ方向）のみに延びる形状であってもよい。
【００８３】
また、図１３に示すように、導光体６２（図９（Ｂ）参照）のＺ方向の両端部にそれぞれ突出部１３４が形成された導光体１３２を用いてもよい。突出部１３４には、平面状の端面１３４Ａが形成されている。反射部材６４（図９（Ａ）参照）のＺ方向の両端部には、突出部１３４に合わせて図示しない凹部が形成されている。ここで、端面１３４Ａを反射部材６４の図示しない凹部と対向配置させておくことで、温度変化により反射部材６４が伸縮した場合でも、突出部１３４は、反射部材６４に対してＺ方向に自由に摺動する。つまり、導光体１３２はＺ方向の中央部のみで支持されているので変形し難い。なお、突出部１３４は、突出部６３と同じ大きさ及び同じ形状であってもよい。また、突出部１３４は、導光体１３２を形成するために、図示しない金型キャビティ内に入った樹脂（所謂コールドスラグ）を逃がすために形成されたものであってもよい。
【００８４】
図４に示す照射部６６は、導光体６２のＺ側及び−Ｚ側の端面６２Ｄに光Ｂｍを照射する構成に限らず、導光体６２のＺ側及び−Ｚ側の一方の端面６２Ｄのみに光Ｂｍを照射する構成であってもよい。この構成では、導光体６２の他方の端面６２Ｄを反射面とすればよい。また、可撓性基板７７を弾性部材（バネ）を用いて導光体６２の端面６２Ｄに向けて付勢して、発光素子７８の先端面を端面６２Ｄと接触させてもよい。この構成では、導光体６２がＺ方向に伸縮した場合に、弾性部材がＺ方向の外側へ向けて変形することで、導光体６２の伸縮が制限されることが抑制される。
【００８５】
図３に示す発光装置６０において、反射部材６４が設けられていなくてもよい。また、反射部材６４が無い構成において、突出部６３が形成されていない導光体を筐体でＫ方向に挟んで支持してもよい。
【００８６】
発光装置６０において、導光体６２に複数の反射体７２が形成されていない構成であってもよい。また、反射体７２と反射部材６４との間に隙間ｄが無い構成であってもよい。
【００８７】
図５に示す支持部１１６は、凸部１２２と凸部１２４とを有する構成に限らず、１つの凸部又は３つ以上の凸部を有する構成であってもよい。
【００８８】
爪部９４は、Ｚ方向から見た場合の断面形状が三角形状の構成に限らず、断面形状が円弧状や他の多角形状とされた構成であってもよい。
【００８９】
画像読取装置４０は、ガラス板４６を有していなくてもよい。
【符号の説明】
【００９０】
１０  画像形成装置
３０  画像形成部
４０  画像読取装置
４４  ロッドレンズアレイ（集光部材の一例）
５２  受光素子
６０  発光装置
６２  導光体
６２Ａ  中央部
６２Ｄ  端面
６３  突出部
６４  反射部材
６６  照射部（照射手段の一例）
６８  筐体
７２  反射体
７４  貫通孔
８６  縦壁（第２接触部の一例）
９２  弾性部（第１接触部の一例）
ｄ  隙間
Ｇ  原稿（対象物の一例）
【図１】
2018160781.tif 000003
【図２】
2018160781.tif 000004
【図３】
2018160781.tif 000005
【図４】
2018160781.tif 000006
【図５】
2018160781.tif 000007
【図６】
2018160781.tif 000008
【図７】
2018160781.tif 000009
【図８】
2018160781.tif 000010
【図９】
2018160781.tif 000011
【図１０】
2018160781.tif 000012
【図１１】
2018160781.tif 000013
【図１２】
2018160781.tif 000014
【図１３】
2018160781.tif 000015